(57)【要約】【課題】眼科診療の効率化を図ることができる眼科検査システムを提供すること。【解決手段】眼科検査システム１は、眼科検査装置１０等と、眼科検査装置１０等が設置された施設において複数の被検者により使用される複数の被検者端末１００と、施設に設置され、各種情報を表示する表示部を有し、被検者端末１００と通信可能に接続された監視端末５０と、を備える。監視端末５０は、複数の被検者のそれぞれに割り当てられた識別情報を受信するとともに前記被検者端末の現在位置を示す位置データを受信し、識別情報および現在位置を表示部に表示する。【選択図】図１
2019063116.tif 000002
【特許請求の範囲】
【請求項１】
眼科検査装置と、
前記眼科検査装置が設置された施設において複数の被検者により使用される複数の被検者端末と、
前記施設に設置され、各種情報を表示する表示部を有し、前記被検者端末と通信可能に接続された監視端末と、
を備え、
前記監視端末は、前記複数の被検者のそれぞれに割り当てられた識別情報を受信するとともに前記被検者端末の現在位置を示す位置データを受信し、前記識別情報および前記現在位置を前記表示部に表示することを特徴とする眼科検査システム。
【請求項２】
前記監視端末は、前記被検者の検査の状況を示す検査状況情報を受信し前記表示部に表示することを特徴とする請求項１に記載の眼科検査システム。
【請求項３】
前記監視端末は、前記眼科検査装置と前記被検者端末との間でやり取りされた情報の少なくとも一部を含む検査情報を受信するとともに記録し、前記検査情報のうちで前回記録された前記検査情報と、前記検査情報のうちで今回記録された前記検査情報と、の間の比較関係を示す比較情報を前記表示部に表示することを特徴とする請求項１または２に記載の眼科検査システム。
【請求項４】
前記眼科検査装置が設置された検査室の待合空間に設置され、前記被検者端末と通信可能に接続された待合端末をさらに備え、
前記監視端末は、前記被検者端末と前記待合端末との間において近距離通信技術を介して通信が行われた時刻を示す第１時刻データと、前記眼科検査装置による検査が行われた時刻を示す第２時刻データと、に基づいて前記被検者が前記眼科検査装置による検査を待機している待ち時間を算出し前記表示部に表示することを特徴とする請求項１〜３のいずれか１項に記載の眼科検査システム。
【請求項５】
複数の前記検査室に複数の前記眼科検査装置が設けられ、
前記複数の検査室のそれぞれに割り当てられた複数の前記待合端末が設けられ、
前記監視端末は、前記複数の待合端末のうちの第１待合端末における前記待ち時間に応じて、前記第１待合端末に対応する前記眼科検査装置以外の他の眼科検査装置が設置された前記検査室に割り当てられた第２待合端末に前記被検者を誘導する誘導情報を生成し、前記誘導情報を前記被検者端末に送信することを特徴とする請求項４に記載の眼科検査システム。
【請求項６】
前記被検者端末は、各種情報を表示する表示部を有し、
前記監視端末は、前記位置データと前記第２待合端末に割り当てられた識別情報とに基づいて、前記現在位置と前記第２待合端末との位置関係を前記被検者端末の前記表示部に表示させるとともに前記現在位置から前記第２待合端末までの順路を前記被検者端末の前記表示部に表示させることを特徴とする請求項５に記載の眼科検査システム。
【請求項７】
前記眼科検査装置が設置された施設において検者により使用される検者端末であって前記監視端末と通信可能に接続された検者端末をさらに備え、
前記監視端末は、前記複数の被検者のそれぞれに割り当てられた識別情報と、前記位置データと、を前記検者端末に送信することを特徴とする請求項４〜６のいずれか１項に記載の眼科検査システム。
【請求項８】
前記監視端末は、前記被検者の検査の状況を示す検査状況情報を前記検者端末に送信することを特徴とする請求項７に記載の眼科検査システム。
【請求項９】
前記監視端末は、前記眼科検査装置と前記被検者端末との間でやり取りされた情報の少なくとも一部を含む検査情報を受信するとともに記録し、前記検査情報のうちで前回記録された前記検査情報と、前記検査情報のうちで今回記録された前記検査情報と、の間の比較関係を示す比較情報を前記検者端末に送信することを特徴とする請求項７または８に記載の眼科検査システム。
【請求項１０】
前記監視端末は、前記待ち時間を前記検者端末に送信することを特徴とする請求項７〜９のいずれか１項に記載の眼科検査システム。
【発明の詳細な説明】
【技術分野】
【０００１】
本発明は、眼科検査システムに関する。
【背景技術】
【０００２】
眼科の分野で使用される眼科装置は種類が多く、これら各眼科装置を個別に操作することは煩雑であるため、複数の眼科装置を一つの端末等で操作可能とする提案がなされている（例えば、特許文献１）。
一方、眼科を受診する患者等の被検者は、複数の眼科装置を用いた検査をする必要がある。また、これらの眼科装置は、装置によっては１つの部屋に複数の眼科装置が配置される場合もあるが、一方、暗室や半暗室で行うことが必要となる場合は、すべての眼科装置を同じ部屋に配置せずに、複数の部屋に分けて配置することもある。
したがって、被検者が複数の眼科装置の検査を受けるときは、同じ部屋内の眼科装置を順番に巡る必要や順番に異なる部屋を巡る必要がある。
【先行技術文献】
【特許文献】
【０００３】
【特許文献１】特開２０１７―２９３６９号公報
【発明の概要】
【発明が解決しようとする課題】
【０００４】
しかし、被検者が同じ部屋にある複数の眼科装置について、検査を受ける順番を把握することは難しく、特に、眼科装置が異なる部屋に分かれて配置されているときに、検査を受けるために入室する部屋の順番を把握することは、被検者にとって、より困難である。そのため、被検者が検査を受ける眼科装置がある部屋に迅速に到着できず、眼科診療の効率化を図ることが困難であるという問題があった。また、眼科装置が設置された施設（眼科病院等）の受付担当者や検者等は、被検者が順番を待っている眼科装置のある部屋を把握できず、検査を受けるべき眼科検査がある部屋に被検者を誘導することが困難であった。この点においても、眼科診療の効率化を図ることが困難であるという問題があった。
【０００５】
本発明は、前記課題を解決するためになされたものであり、眼科診療の効率化を図ることができる眼科検査システムを提供することを目的とする。
【課題を解決するための手段】
【０００６】
前記課題は、本発明によれば、眼科検査装置と、前記眼科検査装置が設置された施設において複数の被検者により使用される複数の被検者端末と、前記施設に設置され、各種情報を表示する表示部を有し、前記被検者端末と通信可能に接続された監視端末と、を備え、前記監視端末は、前記複数の被検者のそれぞれに割り当てられた識別情報を受信するとともに前記被検者端末の現在位置を示す位置データを受信し、前記識別情報および前記現在位置を前記表示部に表示することを特徴とする眼科検査システムにより解決される。
【０００７】
前記構成によれば、眼科検査装置が設置された施設に設置された監視端末は、複数の被検者のそれぞれに割り当てられた識別情報を受信するとともに、被検者端末の現在位置を示す位置データを受信する。そして、監視端末は、被検者の識別情報および被検者端末の現在位置を監視端末の表示部に表示する。そのため、例えば施設の受付のスタッフなどは、監視端末の表示部を確認することにより、被検者の位置や被検者端末の位置を把握することができる。そのため、例えば施設の受付のスタッフなどは、被検者に対して指示を出したり、監視端末を操作することにより被検者端末に対して指示や情報などを送信したりすることができる。これにより、眼科診療の効率化を図ることができる。
【０００８】
好ましくは、前記監視端末は、前記被検者の検査の状況を示す検査状況情報を受信し前記表示部に表示することを特徴とする。
【０００９】
前記構成によれば、監視端末は、被検者の検査の状況を示す検査状況情報を受信し、表示部に表示する。検査状況情報は、被検者（被検眼）の検査の状況を表している。そのため、例えば施設の受付のスタッフなどは、監視端末の表示部を確認することにより、被検者（被検眼）の検査の状況を把握することができる。
【００１０】
好ましくは、前記監視端末は、前記眼科検査装置と前記被検者端末との間でやり取りされた情報の少なくとも一部を含む検査情報を受信するとともに記録し、前記検査情報のうちで前回記録された前記検査情報と、前記検査情報のうちで今回記録された前記検査情報と、の間の比較関係を示す比較情報を前記表示部に表示することを特徴とする。
【００１１】
前記構成によれば、監視端末は、眼科検査装置と被検者端末との間でやり取りされた検査情報を受信するとともに記録する。そして、監視端末は、検査情報のうちで前回記録された検査情報と、検査情報のうちで今回記録された検査情報と、の間の比較関係を示す比較情報を表示部に表示する。これにより、例えば施設の受付のスタッフなどは、監視端末の表示部を確認することにより、検査情報、検査状況および眼科検査装置の少なくともいずれかに異常が生じているか否かを把握することができる。
【００１２】
好ましくは、前記眼科検査装置が設置された検査室の待合空間に設置され、前記被検者端末と通信可能に接続された待合端末をさらに備え、前記監視端末は、前記被検者端末と前記待合端末との間において近距離通信技術を介して通信が行われた時刻を示す第１時刻データと、前記眼科検査装置による検査が行われた時刻を示す前記第２時刻データと、に基づいて前記被検者が前記眼科検査装置による検査を待機している待ち時間を算出し前記表示部に表示することを特徴とする。
【００１３】
前記構成によれば、監視端末は、被検者端末と待合端末との間において近距離通信技術を介して通信が行われた時刻を示す第１時刻データと、眼科検査装置による検査が行われた時刻を示す第２時刻データと、に基づいて被検者が眼科検査装置による検査を待機している待ち時間を算出し、表示部に表示する。これにより、例えば施設の受付のスタッフなどは、監視端末の表示部を確認することにより、眼科検査装置による検査を待機している被検者の待機状態（混雑状況）を把握することができる。
【００１４】
好ましくは、複数の前記検査室に複数の前記眼科検査装置が設けられ、前記複数の検査室のそれぞれに割り当てられた複数の前記待合端末が設けられ、前記監視端末は、前記複数の待合端末のうちの第１待合端末における前記待ち時間に応じて、前記第１待合端末に対応する前記眼科検査装置以外の他の眼科検査装置が設置された前記検査室に割り当てられた第２待合端末に前記被検者を誘導する誘導情報を生成し、前記誘導情報を前記被検者端末に送信することを特徴とする。
【００１５】
前記構成によれば、監視端末は、複数の待合端末のうちの第１待合端末における待ち時間に応じて、第１待合端末に対応する眼科検査装置以外の他の眼科検査装置が設置された検査室に割り当てられた第２待合端末に被検者を誘導する誘導情報を生成する。つまり、監視端末は、第１待合端末において眼科検査装置による検査を待機している被検者の待ち時間に応じて、第１待合端末とは異なる他の第２待合端末に被検者を誘導する誘導情報を生成する。そして、監視端末は、生成した誘導情報を被検者端末に送信する。これにより、第１待合端末が設置された検査室の眼科検査装置による検査を待機している被検者の待ち時間が長い場合（第１待合端末が設置された検査室が混雑している場合）には、監視端末は、第１待合端末が設置された検査室よりも空いている検査室の第２待合端末に被検者を誘導することができる。そのため、眼科診療のさらなる効率化を図ることができる。
【００１６】
好ましくは、前記被検者端末は、各種情報を表示する表示部を有し、前記監視端末は、前記位置データと前記第２待合端末に割り当てられた識別情報とに基づいて、前記現在位置と前記第２待合端末との位置関係を前記被検者端末の前記表示部に表示させるとともに前記現在位置から前記第２待合端末までの順路を前記被検者端末の前記表示部に表示させることを特徴とする。
【００１７】
前記構成によれば、監視端末は、位置データと、第２待合端末に割り当てられた識別情報と、に基づいて、被検者端末の現在位置（被検者の現在位置）と、第２待合端末と、の位置関係を被検者端末の表示部に表示させる。また、監視端末は、被検者端末の現在位置（被検者の現在位置）から第２待合端末までの順路を被検者端末の表示部に表示させる。これにより、被検者は、第１待合端末とは異なる第２待合端末に誘導される場合であっても、眼科検査装置が設置された施設内で迷うことなく、比較的短時間で第１待合端末から第２待合端末に移動することができる。
【００１８】
好ましくは、前記眼科検査装置が設置された施設において検者により使用される検者端末であって前記監視端末と通信可能に接続された検者端末をさらに備え、前記監視端末は、前記複数の被検者のそれぞれに割り当てられた識別情報と、前記位置データと、を前記検者端末に送信することを特徴とする。
【００１９】
前記構成によれば、監視端末は、複数の被検者のそれぞれに割り当てられた識別情報と、被検者端末の位置データと、を検者端末に送信する。言い換えれば、眼科検査装置が設置された施設において検者により使用される検者端末は、被検者に割り当てられた識別情報を受信するとともに被検者端末の位置データを受信する。これにより、検者は、検者端末を確認することにより、被検者の位置や被検者端末の位置を把握することができる。そのため、検者は、被検者に対して指示を出したり、検者端末を操作することにより被検者端末に対して指示や情報などを送信したりすることができる。これにより、眼科診療の効率化を図ることができる。
【００２０】
好ましくは、前記監視端末は、前記被検者の検査の状況を示す検査状況情報を前記検者端末に送信することを特徴とする。
【００２１】
前記構成によれば、監視端末は、被検者の検査の状況を示す検査状況情報を受信するとともに、検査状況情報を検者端末に送信する。検査状況情報は、被検者（被検眼）の検査の状況を表している。そのため、検者は、検者端末を確認することにより、被検者（被検眼）の検査の状況を把握することができる。
【００２２】
好ましくは、前記監視端末は、前記眼科検査装置と前記被検者端末との間でやり取りされた情報の少なくとも一部を含む検査情報を受信するとともに記録し、前記検査情報のうちで前回記録された前記検査情報と、前記検査情報のうちで今回記録された前記検査情報と、の間の比較関係を示す比較情報を前記検者端末に送信することを特徴とする。
【００２３】
前記構成によれば、監視端末は、検査情報のうちで前回記録された検査情報と、検査情報のうちで今回記録された検査情報と、の間の比較関係を示す比較情報を検者端末に送信する。これにより、検者は、検者端末を確認することにより、検査情報、検査状況および眼科検査装置の少なくともいずれかに異常が生じているか否かを把握することができる。
【００２４】
好ましくは、前記監視端末は、前記待ち時間を前記検者端末に送信することを特徴とする。
【００２５】
前記構成によれば、監視端末は、被検者端末と待合端末との間において近距離通信技術を介して通信が行われた時刻を示す第１時刻データと、眼科検査装置による検査が行われた時刻を示す第２時刻データと、に基づいて被検者が眼科検査装置による検査を待機している待ち時間を算出し、検者端末に送信する。これにより、検者は、検者端末を確認することにより、眼科検査装置による検査を待機している被検者の待機状態（混雑状況）を把握することができる。
【発明の効果】
【００２６】
本発明によれば、眼科診療の効率化を図ることができる眼科検査システムを提供することができる。
【図面の簡単な説明】
【００２７】
【図１】本発明の実施形態に係る眼科検査システムの主な構成を示す概略図である。
【図２】眼科病院において、各眼科装置を備える部屋の配置の一例を示す概略図である。
【図３】図１の被検者用タブレット１００（検者用タブレット２００ａ等）の主な構成を示す概略ブロック図である。
【図４】図１に示す管理サーバ４０の主な構成を示す概略ブロック図である。
【図５】図１に示す監視端末５０の主な構成を示す概略ブロック図である。
【図６】図１に示す眼科装置の主な構成を示す概略ブロック図である。
【図７】図１に示す待合端末３００ａ等の主な構成を示す概略ブロック図である。
【図８】本実施形態に係る眼科検査システムの第１動作例を表すシーケンスチャートである。
【図９】本実施形態に係る眼科検査システムの第２動作例を表すシーケンスチャートである。
【図１０】本実施形態に係る眼科検査システムの第３動作例を表すシーケンスチャートである。
【発明を実施するための形態】
【００２８】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００２９】
図１は、本発明の実施形態に係る眼科検査システムの主な構成を示す概略図である。
図２は、眼科病院において、各眼科装置を備える部屋の配置の一例を示す概略図である。
【００３０】
（眼科病院に配置される眼科装置等）
図１に示すように、眼科検査システム１は、眼科病院の複数の部屋（検査室）、例えば、「他覚測定室（１）」、「自覚検査室（２）」、「撮影検査室（３）」、「暗室検査・特殊検査室（４）」、「視野検査室（５）」及び「診察室１〜４」に配置される眼科検査装置を有している。以下の説明において、眼科検査装置を単に「眼科装置」と称することがある。
【００３１】
具体的には、「他覚測定室（１）」には、眼科装置である例えば、「レフラクトメータ、ケラトメータ１０」、「眼圧計１１」及び「スペキュラーマイクロスコープ１２」が配置されている。
また、「自覚検査室（２）」には、眼科装置である例えば、「視力検査装置１３」、「フォロプター１４」、「検眼システム１５」が配置されている。
また、「撮影検査室（３）」には、眼科装置である例えば、「眼底カメラ１６」及び「ＯＣＴ装置１７」が配置されている。
また、「暗室検査・特殊検査室（４）」には、眼科装置である例えば、「視機能検査装置１８」が配置されている。
また、「視野検査室（５）」には、眼科装置である例えば、「マイクロペリメータ１９」及び「視野計２０」が配置されている。
また、「診察室１〜４」には、眼科装置である例えば、「スリットランプ２１ａ〜２１ｄ」が配置されている。
【００３２】
また、図１に示すように、「他覚測定室（１）」等の眼圧計１１等は、通信回線２に通信可能に接続されている。そして、眼科検査システム１の各種情報を管理等する「管理サーバ４０」（「他の装置」の一例）も通信回線２に通信可能に接続されている。本実施形態の管理サーバ４０は、本発明の「管理装置」の一例である。
したがって、「他覚測定室（１）」等の眼圧計１１等は、管理サーバ４０と相互に通信可能に配置されている。
【００３３】
（「被検者用タブレット」等）
被検者用タブレット（被検者端末）１００は、図１に示すように、その表面に表示部である例えば、「タブレット側ディスプレイ１０１」を有し、この「タブレット側ディスプレイ１０１」には各種情報が表示される構成となっている。本実施形態の被検者用タブレット１００は、本発明の「被検者端末」の一例である。
また、被検者用タブレット１００は、通信機能を有している。具体的には、到達距離の短い無線通信、通信エリアは、数センチからおよそ１メートル程度の極短距離であり「非接触通信」とも呼ばれるＢｌｕｅｔｏｏｔｈ（登録商標）や赤外線通信等の「近距離無線通信」が可能な構成となっている。
【００３４】
また、被検者用タブレット１００は、眼科病院内で利用可能なＬＡＮ（ローカルエリアネットワーク）を無線（ワイヤレス）通信可能な構成ともなっている。
したがって、後述するように、被検者が「被検者用タブレット１００」を例えば、図１の「他覚測定室（１）」に入室し、「眼圧計１１」に近づけることで、「眼圧計１１」との間で通信が可能な構成となっている。
また、被検者若しくは検者（検査者）が、「被検者用タブレット１００」を操作することで、対象の眼圧計１１等の測定操作等の簡単な制御が可能な構成となっている。
すなわち、被検者は、検者が傍にいないときでも、単独で眼圧計１１等の測定を開始することができる構成となっている。
【００３５】
また、「被検者用タブレット１００」は、「位置情報取得装置１０２」（図３参照）を備えている。この「位置情報取得装置１０２」は、病院内で利用可能なＬＡＮのアクセスポイントの位置と被検者用タブレット１００との距離から位置情報を取得するものである。
そして、当該「被検者用タブレット１００」の位置情報を取得し、タブレット側ディスプレイ１０１に表示する。
【００３６】
なお、本発明では、上述の「位置情報取得装置１０２」が、衛星との距離で位置情報を測位するＧＰＳ装置（グローバル・ポジショニング・システム（英語: Ｇｌｏｂａｌ  Ｐｏｓｉｔｉｏｎｉｎｇ  Ｓｙｓｔｅｍ、ＧＰＳ、全地球測位システム）であっても良い。
【００３７】
また、本発明の「位置情報取得装置１０２」が、高精度位置情報提供技術を用いた装置であっても構わない。これは、ＧＰＳ装置等と異なり、室内でも高精度に位置情報を取得することができる装置であり、具体的には、以下のとおりである。
この「高精度位置情報提供」装置は、指向性の高いビーコン、高精度自律航法（ＰＤＲ：Ｐｅｄｅｓｔｒｉａｎ  Ｄｅａｄ  Ｒｅｃｋｏｎｉｎｇ）及び「高精度マップマッチング（ＰＭＭ：Ｐｅｄｅｓｔｒｉａｎ  Ｍａｐ  Ｍａｔｃｈｉｎｇ）」の３つの技術を組み合わせることで、高精度な位置情報（例えば、位置誤差３ｍ以下）を取得するものである。
ここで、「ビーコン」は、無線局等から発射される電波（または赤外線のような高周波の電磁波）及びこのような電波を発射する設備等を意味する。
【００３８】
具体的には、被検者用タブレット１００を利用して、指向性の高いビーコンからの信号強度と、ビーコンの位置から絶対位置を計測する。そして、この絶対位置をＰＤＲで処理し、ＰＭＭを利用して地図表示することになる。
【００３９】
また、本システム１では、図１に示すように、検者用タブレット２００ａ〜２００ｆを有している。これら検者用タブレット２００ａ〜２００ｆの構成は、上述の被検者用タブレット１００と同様であるが、これら検者用タブレット２００ａ〜２００ｆは、「他覚測定室（１）」等の各部屋に配置されている「眼圧計１１」等の機器を操作する検者（検査者）が所持する端末である。
そして、これら検者用タブレット２００ａ〜２００ｆは、「検者端末」の一例となっている。
【００４０】
（「監視端末」等）
図１および図２に表したように、複数の眼科装置が設置された施設（眼科病院等）の例えば受付には、監視端末５０が設けられている。監視端末５０は、通信回線２に通信可能に接続され、監視端末ディスプレイ５０３（図５参照）を有している。受付担当者や検者等は、監視端末ディスプレイ５０３を確認することで、監視端末ディスプレイ５０３に表示された各種情報を把握することができる。本実施形態の監視端末ディスプレイ５０３は、本発明の監視端末の「表示部」の一例である。なお、監視端末５０は、受付に設置されることには限定されず、施設内において受付から離れた位置に配置されてもよい。
【００４１】
（「待合端末」等）
図１および図２に表したように、複数の眼科装置が設置された複数の部屋（検査室）の待合空間には、待合端末３００ａ〜３００ｉが設けられている。待合端末３００ａ〜３００ｉのそれぞれは、「他覚測定室（１）」等の各部屋のＩＤ（識別情報）を認識している。つまり、待合端末３００ａ〜３００ｉのそれぞれは、「他覚測定室（１）」等の各部屋と紐付けされている。あるいは、待合端末３００ａ〜３００ｉのそれぞれは、「他覚測定室（１）」等の各眼科装置のＩＤ（識別情報）を認識していてもよい。この場合には、待合端末３００ａ〜３００ｉのそれぞれは、「他覚測定室（１）」等の各眼科装置と紐付けされる。
【００４２】
待合端末３００ａ等は、図２に表したように、「他覚測定室（１）」等の各部屋の入口近傍に設置された待合椅子のところに設定されていてもよい。あるいは、待合端末３００ａ等は、「他覚測定室（１）」等の各部屋の中に設置されていてもよい。待合端末３００ａ等は、通信機能を有し、被検者用タブレット１００と通信可能とされている。具体的には、距離の短い無線通信、通信エリアは、数センチからおよそ１メートル程度の極短距離であり「非接触通信」とも呼ばれるＢｌｕｅｔｏｏｔｈ（登録商標）や赤外線通信等の「近距離無線通信」が可能な構成となっている。
【００４３】
被検者用タブレット１００は、通信機能を有している。具体的には、到達距離の短い無線通信、通信エリアは、数センチからおよそ１メートル程度の極短距離であり「非接触通信」とも呼ばれるＢｌｕｅｔｏｏｔｈ（登録商標）や赤外線通信等の「近距離無線通信」が可能な構成となっている。本実施形態の「近距離無線通信」としては、例えば、Ｂｌｕｅｔｏｏｔｈ（登録商標）などのワイヤレスＬＡＮ通信や赤外線通信などが挙げられるが、本実施形態の「近距離無線通信」は、非接触型磁気カードや非接触型ＩＣカードなどを利用した通信であってもよい。
【００４４】
（眼科装置である「レフラクトメータ、ケラトメータ１０」等の説明）
次いで、上述の眼科病院に配置される眼科装置である「レフラクトメータ、ケラトメータ１０」等の主な装置について、説明する。
【００４５】
（他覚測定室（１）関連）
・「レフラクトメータ、ケラトメータ１０」（以下「レフラクトメータ等１０」とする。）は、眼球の屈折特性を測定する眼屈折検査装置である。
・「眼圧計１１」は眼圧を計測する装置である。具体的には、眼圧計１１は、例えば、眼圧測定部を有し、非接触式又は接触式の眼圧計としての機能を備える。
非接触式眼圧計の場合、眼圧測定部は、たとえば、被検眼Ｅ（図６参照）の前眼部を撮影するための光学系と、この光学系と同軸に設けられたノズルから被検眼の角膜に気流を吹き付ける気流吹付部と、被検眼に固視標を提示する固視光学系とを含む。更に、眼圧測定部は気流が吹き付けられている状態の角膜の変形状態に基づいて被検眼の眼圧値を求めるプロセッサを含む。
一方、接触式の眼圧計の場合、眼圧測定部は、たとえば、被検眼Ｅの前眼部を観察するための光学系と、被検眼の角膜に一定面積の平面を有する部材を押し付けるための圧平部とを含む。
更に、眼圧測定部は、角膜の当該一定面積を圧平するのに必要な圧力を検出して被検眼の眼圧値を求めるプロセッサを含む。
・「スペキュラーマイクロスコープ１２」は角膜の特性（角膜厚、細胞分布等）を検査する装置である。
なお、「他覚測定室（１）」に配置される装置は、自動化されているものもある。
（自覚検査室（２）関連）
・「視力検査装置１３」は、提示された視標に対する応答に基づき視力を測定する装置である。この視力検査には時間がかかる傾向がある。
【００４６】
（撮影検査室（３）関連）
・「眼底カメラ１６」は、眼底を写真撮影するためのカメラである。
具体的には、眼底カメラ１６は、眼底撮影部を有し、眼底撮影部は、眼底カメラとしての機能を備える。この眼底撮影部は、例えば、被検眼の眼底に照明光を照射するための照明光学系と、照明光の眼底からの戻り光をイメージセンサ（エリアセンサ）に導く撮影光学系と、被検眼に固視標を提示する固視光学系とを含む。
・「ＯＣＴ装置１７」は、光干渉を利用して眼底や前眼部の断面像や３次元データ、解析データを得るため光干渉断層計である。
具体的には、ＯＣＴが例えば、低コヒーレンス光源と分光器が搭載された、いわゆるスペクトラルドメイン（Ｓｐｅｃｔｒａｌ  Ｄｏｍａｉｎ）タイプのＯＣＴを用いた光干渉断層計やスペクトラルドメイン以外のタイプ、たとえば、スウェプトソース（Ｓｗｅｐｔ  Ｓｏｕｒｃｅ）タイプのＯＣＴの手法を用いた光干渉断層計がある。
スウェプトソースＯＣＴとは、被写体に照射される光の波長を走査（波長掃引）し、各波長の光の反射光と参照光とを重ね合わせて得られる干渉光を順次に検出して、スペクトル強度分布を取得し、それに対して、フーリエ変換を施すことにより被写体を画像化する手法である。
【００４７】
（暗室検査・特殊検査室（４）関連）
・「視機能検査装置１８」は、視機能検査装置のみならず、視力測定用の視標（ランドルト環等）を呈示する視標呈示装置を含む。被検眼の視力測定を行うための機能を備える。
【００４８】
（診察室１〜４関連）
・診察室１〜４には、それぞれ、「スリットランプ２１ａ〜２１ｄ」が配置されると共に、医師が在室し、各医師は「検者用タブレット」を有している。
「スリットランプ２１ａ〜２１ｄ」は、細隙灯とも呼ばれ、両方の目で見る検眼用の顕微鏡である。
【００４９】
また、図１に表した管理サーバ４０、監視端末５０、被検者用タブレット１００，検者用タブレット２００ａ等、眼圧計１１等は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００５０】
（被検者用タブレット１００等の主な構成）
図３は、図１の被検者用タブレット１００（検者用タブレット２００ａ等）の主な構成を示す概略ブロック図である。
検者用タブレット２００ａ等の構成は、被検者用タブレット１００の構成と同様であるため、以下、被検者用タブレット１００の構成のみ説明する。
被検者用タブレット１００は、図３に示すように、「タブレット制御部１０３」を有していると共に、上述のように被検者用タブレット１００が、眼科装置である眼圧計１１等と通信するために使用される「タブレット側通信装置１０４」や上述の位置情報取得装置１０２を有している。
【００５１】
また、被検者用タブレット１００は、上述のタブレット側ディスプレイ１０１や、各種情報を入力するキーボード等のタブレット側各種情報入力部１０５、そして、各種情報を記憶するタブレット側各種情報記憶部１０６を有している。
そして、タブレット制御部１０３は、タブレット側通信装置１０４等を制御する構成となっている。
【００５２】
（管理サーバ４０の主な構成）
図４は、図１に示す管理サーバ４０の主な構成を示す概略ブロック図である。
図４に示すように、管理サーバ４０は、「サーバ制御部４１」、他の機器と通信するための「サーバ側通信装置４２」、各種情報を表示する「サーバ側ディスプレイ４３」、各種情報を入力するキーボード等の「サーバ側各種情報入力部４４」を有し、眼科装置、被検者用タブレット１００、検者用タブレット２００ａ等、待合端末３００ａ等、監視端末５０と通信回線２を介して通信可能に接続されている。
【００５３】
また、管理サーバ４０は、図４に示すように、「患者Ｘ情報記憶部４５」および「病院配置図情報記憶部４７」等を有するが、これらの構成については後述する。
図４のサーバ制御部４１は、図４に示すサーバ側通信装置４２等と接続され、これらを制御する構成となっている。
【００５４】
（監視端末の主な構成）
図５は、図１に示す監視端末５０の主な構成を示す概略ブロック図である。
図５に示すように、監視端末５０は、「監視端末制御部５０１」、他の機器と通信するための「監視端末通信部５０２」、各種情報を表示する「監視端末ディスプレイ５０３」、各種情報を入力するキーボード等の「監視端末入力部５０４」を有する。監視端末ディスプレイ５０３および監視端末入力部５０４は、互いに一体化されていてもよい。すなわち、監視端末ディスプレイ５０３は、監視端末入力部５０４と一体化されたタッチパネル等のデバイスや、グラフィカルユーザインターフェイス（ＧＵＩ）であってもよい。
【００５５】
監視端末制御部５０１は、出力制御部５１２と、待ち時間算出部５１３と、を有する。監視端末制御部５０１は、監視端末通信部５０２等を制御する構成となっている。
【００５６】
出力制御部５１２は、例えば監視端末通信部５０２を介して他の装置から受信した情報を出力するための制御を行う。出力される情報の例として視覚情報と音声情報がある。視覚情報は、視覚系により認識される情報であり、文字列情報や画像情報を含む。出力制御部５１２は、監視端末ディスプレイ５０３を制御することにより視覚情報を出力させる。出力される情報は、音声情報であってもよい。音声情報は、聴覚系により認識される情報であり、警告音や音声メッセージを含む。出力制御部５１２は、図示しない音声出力装置を制御することにより聴覚情報を出力させてもよい。
【００５７】
待ち時間算出部５１３は、待合端末３００ａ等から受信した時刻に関する情報（第１時刻データ）と、眼圧計１１等から受信した時刻に関する情報（第２時刻データ）と、に基づいて被検者が眼圧計１１等による検査（あるいは診察室における診療）を待機している待ち時間を算出する。
【００５８】
また、監視端末５０は、患者Ｘ（被検者）の情報を送受信する「患者Ｘ情報送受信部５０５」、被検者用タブレット１００の位置情報を送受信する「位置情報送受信部５０６」、各種情報を記憶する「監視端末記憶部５１１」を有している。さらに、監視端末５０は、「検査状況情報送受信部５０７」と、「検査情報送受信部５０８」と、「時刻送受信部５０９」と、「誘導情報生成部５１０」と、を有する。
【００５９】
検査状況情報送受信部５０７は、眼圧計１１等により生成された検査状況情報を眼圧計１１等から受信したり、検査状況情報を他の装置（管理サーバ４０、待合端末３００ａ等、検者用タブレット２００ａ等）に送信したりする。検査状況情報は、検査の進行状況（検査のフェーズ）、検査の途中結果（例えば、視力検査における視標の呈示履歴）、検査時間（例えば、検査開始時刻、経過時間）などを含む。眼圧計１１等が被検眼Ｅや被検者を撮影する機能を備える場合、検査状況情報は、被検眼Ｅ等の撮影画像（静止画像、動画像）を含んでよい。また、検査状況情報は、被検者の音声情報を含んでよい。
【００６０】
検査情報送受信部５０８は、検査情報の送受信を行う。検査情報は、眼圧計１１等と被検者用タブレット１００との間でやり取りされた情報の少なくとも一部を含み、例えば監視端末記憶部５１１等に記録された情報である。検査情報は、眼圧計１１等から検者用タブレット２００ａ等に送信された情報の少なくとも一部を含んでよい。また、検査情報は、検者用タブレット２００ａ等から眼圧計１１等に送信された情報の少なくとも一部を含んでよい。検査情報の例としては、眼圧計１１等の内部要素又は外部装置を制御するための情報（制御情報）や、眼圧計１１等に入力された情報（入力情報）や、入力情報を処理して得られた情報（処理結果）などが挙げられる。
【００６１】
時刻送受信部５０９は、待合端末３００ａ等から時刻データを受信したり、他の装置（管理サーバ４０、検者用タブレット２００ａ等）に時刻データを送信したりする。また、時刻送受信部５０９は、眼圧計１１等から受信した時刻データを受信したり、他の装置（管理サーバ４０、検者用タブレット２００ａ等）に時刻データを送信したりする。
【００６２】
誘導情報生成部５１０は、待ち時間算出部５１３により生成された待ち時間に応じて、検査を待機している眼科装置以外の他の眼科装置が設置された検査室に割り当てられた待合端末３００ａ等に患者Ｘを誘導する誘導情報を生成する。この詳細については、後述する。
【００６３】
なお、監視端末５０は、管理サーバ４０と一体的に設けられていてもよい。また、管理サーバ４０が、監視端末５０の機能の少なくとも一部を実現してもよい。つまり、管理サーバ４０が監視端末５０を兼ねていてもよい。
【００６４】
（眼科装置の主な構成）
図６は、図１に示す眼科装置の主な構成を示す概略ブロック図である。
眼科病院に配置される眼科装置である「レフラクトメータ、ケラトメータ１０」等の主な構成は種々存在する。ここでは、本実施形態の眼科装置の主な構成を説明する。
【００６５】
本実施形態の眼科装置は、「眼科装置制御部３１」と、「検査部３２」と、「ユーザインターフェイス（ＵＩ）部３３」と、「眼科装置通信部３４」と、を有する。眼科装置制御部３１は、各種の制御や演算を実行する。検査部３２は、眼科装置制御部３１による制御を受けて被検眼Ｅの検査を実行する。検査部３２は、眼科検装置の種別に応じた構成を備える。ユーザインターフェイス部３３は、被検者（及び検者）に向けた情報を出力する機能と、情報入力や操作指示を行うための機能とを備える。眼科装置通信部３４は、他装置（管理サーバ４０、被検者用タブレット１００、検者用タブレット２００ａ等、待合端末３００ａ等）との間でデータ通信を行う。
【００６６】
また、本実施形態の眼科装置は、「検査状況情報生成部３５」と、「時刻データ生成部３６」と、を有する。検査状況情報生成部３５は、被検眼Ｅの検査の状況を表す検査状況情報を生成する。検査状況情報生成部３５は、検査状況を監視しつつ検査状況情報を逐次に生成する。検査状況情報は、図５に関して前述した通りである。時刻データ生成部３６は、検査が行われた時刻を示す情報（第２時刻データ）を生成する。例えば、時刻データ生成部３６は、被検者が他覚測定室（１）等に入室し、被検者用タブレット１００を眼圧計１１等に近づけて通信を行ったときの時刻を第２時刻データとして生成する。
【００６７】
（待合端末３００ａ等の主な構成）
図７は、図１に示す待合端末３００ａ等の主な構成を示す概略ブロック図である。
図７に示すように、待合端末３００ａ〜３００ｉの構成は、互いに同様である。待合端末３００ａ等は、「待合端末制御部３０１」、他の機器と通信するための「待合端末通信部３０２」、各種情報を表示する「待合端末ディスプレイ３０３」、各種情報を入力するキーボード等の「待合端末入力部３０４」を有する。
【００６８】
また、待合端末３００ａ等は、患者Ｘ（被検者）の情報を送受信する「患者Ｘ情報送受信部３０５」、被検者用タブレット１００の位置情報を送受信する「位置情報送受信部３０６」、各種情報を記憶する「待合端末記憶部３０７」、「時刻データ生成部３０８」を有している。
待合端末制御部３０１は、待合端末通信部３０２等を制御する構成となっている。
【００６９】
時刻データ生成部３０８は、被検者用タブレット１００と待合端末３００ａ等との間において近距離通信技術を介して通信が行われた時刻を示す情報（第１時刻データ）を生成する。例えば、時刻データ生成部３０８は、被検者が他覚測定室（１）等の待合空間に設置されている待合端末３００ａ等に近づき、被検者用タブレット１００を待合端末３００ａ等に近づけて通信を行ったときの時刻を第１時刻データとして生成する。
【００７０】
（眼科検査システムの主な動作例）
図８は、本実施形態に係る眼科検査システムの第１動作例を表すシーケンスチャートである。
本実施形態では、被検者である患者Ｘが眼科病院を訪れ、初診として受診し、各種の眼科装置等を用いて検査を受ける場合を例に以下、説明する。
【００７１】
患者Ｘは眼科病院を訪問し、図２の受付で受け付けする。その際、自己の氏名等の個人情報等を提示する。すると、病院の担当者が患者ＸのＩＤ情報等（「識別情報」の一例）を生成し、「患者が初診である」情報、及び訪問先が「診察室１」である情報を管理サーバ４０の図４の「患者Ｘ情報記憶部４５」に登録する。
【００７２】
次いで、受付が、来院する患者が院内で所持する「被検者用タブレット１００」を有しているので、この被検者用タブレット１００に、患者ＸのＩＤ情報（被検者ＩＤ：識別情報）、「患者が初診である」情報、及び訪問先が「診察室１」である情報を「被検者用タブレット１００」に入力し、患者Ｘに貸与する。
【００７３】
次いで、患者Ｘが、受け取った「被検者用タブレット１００」を起動させると、タブレット側ディスプレイ１０１に図２に示す「病院配置図」が表示される。
この病院配置図は、図４に示すように管理サーバ４０の「病院配置図情報記憶部４７」に記憶され、この病院配置図は、患者Ｘに貸与される前に、受付等で、被検者用タブレット１００が、管理サーバ４０から受信する。
【００７４】
また、ステップＳ１１において、被検者用タブレット１００は、被検者用タブレット１００の現在位置を示す位置データ（位置情報）を生成する。具体的には、被検者用タブレット１００の「位置情報取得装置１０２」が動作し、「被検者用タブレット１００」の位置を測位する。これにより、被検者用タブレット１００の現在位置を示す位置データ（位置情報）が生成される。
【００７５】
なお、被検者用タブレット１００の現在位置を示す位置データは、被検者用タブレット１００により作成されることには限定されず、監視端末５０や管理サーバ４０（図１参照）により作成されてもよい。すなわち、監視端末５０および管理サーバ４０は、被検者用タブレット１００が取得した位置情報に基づいて、被検者用タブレット１００の現在位置を示す位置データを生成してもよい。本実施形態では、被検者用タブレット１００が被検者用タブレット１００の現在位置を示す位置データを生成する場合を例に挙げる。
【００７６】
なお、被検者用タブレット１００の現在位置は、図２に示すように「病院配置図」上に丸印Ｐにより表示されてもよい。さらに、「被検者用タブレット１００」のスピーカから音声で「診察室１に行ってください」という音声が出力されてもよい。
【００７７】
これによれば、患者Ｘは、最初に「診察室１」に行くことを明確に把握することができると共に、自己の現在の位置（丸印Ｐ）と「診察室１」との位置関係を明確に把握することができる。そのため、患者Ｘは、容易かつ迷わずに「診察室１」に行くことができる。
【００７８】
続いて、診察室１に設置されているスリットランプ２１ａを用いた被検眼Ｅの検査が開始される。このとき、被検者および検者の少なくともいずれかが、被検者用タブレット１００をスリットランプ２１ａに近づけて通信を行う。検査の開始を受けて、ステップＳ１２において、眼科装置（スリットランプ２１ａ）の眼科装置制御部３１は、検査状況情報生成部３５に検査状況情報の生成を開始させる。なお、検査状況情報は、眼科装置により生成されることには限定されず、監視端末５０や管理サーバ４０により生成されてもよい。本実施形態では、眼科装置（スリットランプ２１ａ）が検査状況情報を生成する場合を例に挙げる。
【００７９】
一方で、ステップＳ１３において、被検者用タブレット１００は、患者Ｘに割り当てられた識別情報（被検者ＩＤ）と、被検者用タブレット１００の現在位置を示す位置データと、を監視端末５０に送信する。これにより、監視端末５０は、患者Ｘに割り当てられた識別情報（被検者ＩＤ）を患者Ｘ情報送受信部５０５により受信し、被検者用タブレット１００の現在位置を示す位置データを位置情報送受信部５０６により受信する。そして、ステップＳ１４において、監視端末５０は、患者Ｘに割り当てられた識別情報（被検者ＩＤ）と、被検者用タブレット１００の現在位置を示す位置データと、を出力制御部５１２により監視端末ディスプレイ５０３に表示させる。
【００８０】
なお、患者Ｘが目的の場所に到着していないことが判明した場合は、情報をわかりやすく変更して「被検者用タブレット１００」の「タブレット側ディスプレイ１０１」に表示させたり、スタッフに声をかけるように「タブレット側ディスプレイ１０１」に表示させたりする構成ともなっている。また、自動的に監視装置（監視端末５０）から、あるいは気づいた検者から「被検者用タブレット１００」に呼び出しを行う構成としてもよい。
【００８１】
続いて、ステップＳ１５において、監視端末５０は、スリットランプ２１ａに対して検査状況情報の要求データを送信する。例えば、受付担当者が監視端末ディスプレイ５０３により患者Ｘを確認し、監視端末入力部５０４により患者Ｘを選択すると、検査状況情報の要求データが監視端末５０からスリットランプ２１ａに送信される。続いて、ステップＳ１６において、スリットランプ２１ａは、監視端末５０から眼科装置通信部３４を介して検査状況情報の要求データを受信すると、検査状況情報生成部３５により生成された検査状況情報を眼科装置通信部３４を介して監視端末５０に送信する。
【００８２】
続いて、ステップＳ１７において、監視端末５０は、検査状況情報送受信部５０７により検査状況情報を受信し、出力制御部５１２により監視端末ディスプレイ５０３に表示させる。続いて、ステップＳ１８において、監視端末５０は、スリットランプ２１ａと被検者用タブレット１００との間でやり取りされた検査情報を検査情報送受信部５０８により受信するとともに監視端末記憶部５１１に記録する。本実施形態の第１動作例では、スリットランプ２１ａと被検者用タブレット１００との間でやり取りされた検査情報は、検査状況情報生成部３５により生成された検査状況情報を含んでいる。
【００８３】
続いて、ステップＳ１９において、監視端末５０は、監視端末記憶部５１１に記録された検査情報のうちで前回記録された検査情報と、今回記録された検査情報と、の間の比較関係を示す比較情報を、出力制御部５１２により監視端末ディスプレイ５０３に表示させる。
【００８４】
なお、比較情報は、監視端末５０により生成されることには限定されず、管理サーバ４０により生成されてもよい。すなわち、管理サーバ４０は、スリットランプ２１ａ等の眼科装置と被検者用タブレット１００との間でやり取りされた検査情報を受信し、比較情報を生成してもよい。本実施形態では、監視端末５０が比較情報を生成する場合を例に挙げる。
【００８５】
本実施形態の第１動作例によれば、例えば受付担当者などは、監視端末５０の監視端末ディスプレイ５０３を確認することにより、被検者の位置や被検者用タブレット１００の位置を把握することができる。そのため、例えば受付担当者などは、被検者に対して指示を出したり、監視端末５０を操作することにより被検者用タブレット１００に対して指示や情報などを送信したりすることができる。これにより、眼科診療の効率化を図ることができる。
【００８６】
また、監視端末５０は、検査状況情報を出力制御部５１２により監視端末ディスプレイ５０３に表示させる。検査状況情報は被検者（被検眼）の検査の状況を表しているため、例えば受付担当者などは、監視端末ディスプレイ５０３を確認することにより、被検者（被検眼）の検査の状況を把握することができる。
【００８７】
また、監視端末５０は、前回記録された検査情報と、今回記録された検査情報と、の間の比較関係を示す比較情報を、出力制御部５１２により監視端末ディスプレイ５０３に表示させる。これにより、例えば受付担当者などは、監視端末ディスプレイ５０３を確認することにより、検査情報、検査状況および眼科装置等の少なくともいずれかに異常が生じているか否かを把握することができる。
【００８８】
図９は、本実施形態に係る眼科検査システムの第２動作例を表すシーケンスチャートである。
図９に表したステップＳ２１は、図８に関して前述したステップＳ１１の動作と同様である。
【００８９】
なお、図８に関して前述したように、被検者用タブレット１００の現在位置を示す位置データは、被検者用タブレット１００により作成されることには限定されず、監視端末５０や、管理サーバ４０や、待合端末３００ａ等により作成されてもよい。すなわち、監視端末５０、管理サーバ４０および待合端末３００ａ等は、被検者用タブレット１００が取得した位置情報に基づいて、被検者用タブレット１００の現在位置を示す位置データを生成してもよい。本実施形態では、被検者用タブレット１００が被検者用タブレット１００の現在位置を示す位置データを生成する場合を例に挙げる。
【００９０】
一方で、ステップＳ２２において、眼圧計１１等の眼科装置は、装置ＩＤ（識別情報）を待合端末３００ａ等に予め送信している。つまり、待合端末３００ａ〜３００ｉのそれぞれは、「他覚測定室（１）」等の各眼科装置の装置ＩＤ（識別情報）を認識している。これにより、待合端末３００ａ〜３００ｉのそれぞれは、「他覚測定室（１）」等の各眼科装置と紐付けされている。あるいは、待合端末３００ａ〜３００ｉのそれぞれは、「他覚測定室（１）」等の各部屋の部屋ＩＤ（識別情報）を認識している。これにより、待合端末３００ａ〜３００ｉのそれぞれは、「他覚測定室（１）」等の各部屋と紐付けされている。
【００９１】
続いて、図９に表したステップＳ２３およびステップＳ２４は、図８に関して前述したステップＳ１３およびステップＳ１４の動作と同様である。
【００９２】
ステップＳ２４に続くステップＳ２５において、患者Ｘが被検者用タブレット１００を「診察室１」の待合空間に設置された待合端末３００ｆ（第１端末）に近づけると、被検者用タブレット１００と待合端末３００ｆとの間において近距離通信技術を介して通信が行われる。そうすると、被検者用タブレット１００と待合端末３００ｆとの間において、通信が開始される（ステップＳ２５）。第２動作例における待合端末３００ｆは、本発明の「第１待合端末」の一例である。
【００９３】
被検者用タブレット１００と待合端末３００ｆとの間の通信が開始されると、ステップＳ２６において、被検者用タブレット１００は、患者Ｘに割り当てられた識別情報（被検者ＩＤ）と、被検者用タブレット１００の現在位置を示す位置データと、を待合端末３００ｆに送信する。これにより、待合端末３００ｆは、患者Ｘに割り当てられた識別情報（被検者ＩＤ）を患者Ｘ情報送受信部３０５により受信し、被検者用タブレット１００の現在位置を示す位置データを位置情報送受信部３０６により受信する。
【００９４】
続いて、ステップＳ２７において、待合端末３００ｆは、被検者用タブレット１００と待合端末３００ｆとの間において近距離通信技術を介して通信が行われた時刻を示す第１時刻データを時刻データ生成部３０８により生成する。そして、ステップＳ２８において、待合端末３００ｆは、時刻データ生成部３０８により生成された第１時刻データを待合端末通信部３０２を介して監視端末５０に送信する。
【００９５】
なお、第１時刻データは、待合端末３００ａ等により生成されることには限定されず、監視端末５０や管理サーバ４０により生成されてもよい。すなわち、監視端末５０および管理サーバ４０は、被検者用タブレット１００と待合端末３００ａ等との間において近距離通信技術を介して通信が行われた時刻を被検者用タブレット１００および待合端末３００ａ等の少なくともいずれかから受信し、その時刻に基づいて第１時刻データを生成してもよい。本実施形態では、待合端末３００ａ等が第１時刻データを生成する場合を例に挙げる。
【００９６】
続いて、被検者が診察室１に入室し、検査や検診が開始されると、ステップＳ２９において、スリットランプ２１ａは、検査が行われた時刻を示す第２時刻データを時刻データ生成部３６により生成する。例えば、スリットランプ２１ａは、被検者および検者の少なくともいずれかが被検者用タブレット１００をスリットランプ２１ａに近づけて通信を行ったときの時刻を第２時刻データとして時刻データ生成部３６により生成する。そして、ステップＳ３０において、スリットランプ２１ａは、時刻データ生成部３６により生成された第２時刻データを眼科装置通信部３４を介して監視端末５０に送信する。
【００９７】
なお、第２時刻データは、スリットランプ２１ａ等の眼科装置により生成されることには限定されず、監視端末５０や管理サーバ４０により生成されてもよい。すなわち、監視端末５０および管理サーバ４０は、被検者および検者の少なくともいずれかが被検者用タブレット１００を眼科装置に近づけて通信を行ったときの時刻を、被検者用タブレット１００および眼科装置の少なくともいずれかから受診し、その時刻に基づいて第２時刻データを生成してもよい。本実施形態では、スリットランプ２１ａ等の眼科装置が第２時刻データを生成する場合を例に挙げる。
【００９８】
続いて、ステップＳ３１において、監視端末５０は、待合端末３００ｆから時刻送受信部５０９により受信した第１時刻データと、スリットランプ２１ａから時刻送受信部５０９により受信した第２時刻データと、に基づいて被検者がスリットランプ２１ａによる検査（あるいは診察室１における診察）を待機している待ち時間を待ち時間算出部５１３により算出する。例えば、待ち時間算出部５１３は、第１時刻データと第２時刻データとの差分を算出し、その差分値を待ち時間とする。そして、ステップＳ３２において、監視端末５０は、待ち時間算出部５１３により算出された待ち時間を、出力制御部５１２により監視端末ディスプレイ５０３に表示させる。
【００９９】
なお、待ち時間は、監視端末５０により生成されることには限定されず、管理サーバ４０により生成されてもよい。すなわち、例えば、管理サーバ４０は、第１時刻データを待合端末３００ａ等から受信し、第２時刻データをスリットランプ２１ａ等の眼科装置から受信し、第１時刻データおよび第２時刻データに基づいて待ち時間を算出してもよい。そして、管理サーバ４０は、待ち時間を監視端末５０に送信してもよい。本実施形態では、監視端末５０が待ち時間を算出する場合を例に挙げる。
【０１００】
続いて、ステップＳ３３において、監視端末５０は、待ち時間算出部５１３により算出された待ち時間を監視端末通信部５０２を介して検者用タブレット２００ａ等に送信する。そして、ステップＳ３４において、検者用タブレット２００ａ等は、監視端末５０からタブレット側通信装置１０４を介して待ち時間を受信し、タブレット側ディスプレイ１０１に表示させる。
【０１０１】
続いて、ステップＳ３５において、監視端末５０は、待ち時間算出部５１３により算出された待ち時間に基づいて、被検者がスリットランプ２１ａによる検査（あるいは診察室１における診察）を待機している待ち時間が長いか否か、すなわちスリットランプ２１ａによる検査（診察室１における診療）が混雑しているか否かを判断する。具体的には、監視端末５０は、待ち時間算出部５１３により算出された待ち時間が所定の時間よりも長いか否かを判断する。
【０１０２】
被検者がスリットランプ２１ａによる検査（あるいは診察室１における診察）を待機している待ち時間が長い場合には（ステップＳ３５：ＹＥＳ）、ステップＳ３６において、監視端末５０は、誘導情報生成部５１０により誘導情報を生成する。例えば、監視端末５０は、患者Ｘが待機しているスリットランプ２１ａ以外の他の眼科装置（例えば眼圧計１１）が設置された検査室（例えば他覚測定室（１））に割り当てられた待合端末３００ａ（第２待合端末）に患者Ｘを誘導する。第２動作例における待合端末３００ａは、本発明の「第２待合端末」の一例である。つまり、監視端末５０の誘導情報生成部５１０により生成される誘導情報は、第１待合端末に紐付けられた眼科装置以外の他の眼科装置が設置された検査室に割り当てられた第２待合端末に被検者を誘導するための情報である。
【０１０３】
なお、誘導情報は、監視端末５０により生成されることには限定されず、管理サーバ４０により生成されてもよい。すなわち、例えば、管理サーバ４０は、待ち時間が所定の時間よりも長いか否かを判断し、待ち時間が長い場合には誘導情報を生成してもよい。本実施形態では、監視端末５０が誘導情報を生成する場合を例に挙げる。
【０１０４】
続いて、ステップＳ３７において、監視端末５０は、ステップＳ３６において生成した誘導情報を監視端末通信部５０２を介して被検者用タブレット１００に送信する。続いて、ステップＳ３８において、被検者用タブレット１００は、被検者用タブレット１００の位置データと、第２待合端末（例えば待合端末３００ｆ以外の待合端末３００ａ）に割り当てられた識別情報と、に基づいて、被検者用タブレット１００の現在位置と、第２待合端末（例えば待合端末３００ａ）と、の位置関係をタブレット側ディスプレイ１０１に表示する。また、被検者用タブレット１００は、被検者用タブレット１００の現在位置から第２待合端末（例えば待合端末３００ａ）までの順路をタブレット側ディスプレイ１０１に表示する。
【０１０５】
ステップＳ３２に続くステップＳ３５において、被検者がスリットランプ２１ａによる検査（あるいは診察室１における診察）を待機している待ち時間が短い場合には（ステップＳ３５：ＮＯ）、監視端末５０は、誘導情報を生成せずに動作を終了する。
【０１０６】
本実施形態の第２動作例によれば、監視端末５０は、被検者がスリットランプ２１ａ（眼科装置）による検査（あるいは診察室１における診察）を待機している待ち時間を算出し、監視端末ディスプレイ５０３に表示する。これにより、例えば受付担当者は、監視端末５０の監視端末ディスプレイ５０３を確認することにより、眼科装置等による検査を待機している被検者の待機状態（混雑状況）を把握することができる。
【０１０７】
また、被検者がスリットランプ２１ａによる検査（あるいは診察室１における診察）を待機している待ち時間が長い場合には、監視端末５０は、誘導情報を生成し、被検者用タブレット１００に送信する。これにより、待合端末３００ｆ（第１待合端末）が設置された診察室１のスリットランプ２１ａ（眼科装置）による検査を待機している被検者の待ち時間が長い場合には、監視端末５０は、待合端末３００ｆ（第１待合端末）が設置された診察室１よりも空いている他覚測定室（１）等の待合端末３００ａ等（第２待合端末）に被検者を誘導することができる。そのため、眼科診療のさらなる効率化を図ることができる。
【０１０８】
また、被検者用タブレット１００は、被検者用タブレット１００の位置データと、待合端末３００ａ（第２待合端末）に割り当てられた識別情報と、に基づいて、被検者用タブレット１００の現在位置と、待合端末３００ａ（第２待合端末）と、の位置関係をタブレット側ディスプレイ１０１に表示するとともに、被検者用タブレット１００の現在位置から待合端末３００ａ（第２待合端末）までの順路をタブレット側ディスプレイ１０１に表示する。これにより、被検者は、待合端末３００ｆ（第１待合端末）とは異なる待合端末３００ａ（第２待合端末）に誘導される場合であっても、眼科病院内で迷うことなく、比較的短時間で待合端末３００ｆ（第１待合端末）から待合端末３００ａ（第２待合端末）に移動することができる。
【０１０９】
また、監視端末５０は、被検者がスリットランプ２１ａ（眼科装置）による検査（あるいは診察室１における診察）を待機している待ち時間を検者用タブレット２００ａ等に送信する。これにより、検者は、検者用タブレット２００ａ等を確認することにより、スリットランプ２１ａ（眼科装置）による検査（あるいは診察室１における診察）を待機している被検者の待機状態（混雑状況）を把握することができる。
【０１１０】
なお、検査室が混雑している例としては、次のような事例が挙げられる。すなわち、例えば、現在、他の被検者が白内障のため、図１の「他覚測定室（１）」の「レフラクトメータ、ケラトメータ１０」の測定が困難で測定に時間が掛かっており、同装置のエラーが頻発し、「混雑」している場合がある。また、現在、「撮像検査室（３）」の「眼底カメラ１６」のキセノンランプが発光しないエラーが発生し、例えば、２台の「眼底カメラ１６」のうち、１台が使用不可となり、「混雑」している場合がある。例えば、このような場合において、監視端末５０は、第１待合端末が設置された検査室よりも空いている検査室の第２待合端末に患者Ｘを誘導することができる。そのため、眼科診療のさらなる効率化を図ることができる。
【０１１１】
図１０は、本実施形態に係る眼科検査システムの第３動作例を表すシーケンスチャートである。
図１０に表したステップＳ４１〜Ｓ４４は、図８に関して前述したステップＳ１１〜Ｓ１４の動作と同様である。
【０１１２】
なお、図８に関して前述したように、被検者用タブレット１００の現在位置を示す位置データは、被検者用タブレット１００により作成されることには限定されず、監視端末５０や、管理サーバ４０７、待合端末３００ａ等により作成されてもよい。本実施形態では、被検者用タブレット１００が被検者用タブレット１００の現在位置を示す位置データを生成する場合を例に挙げる。また、図８に関して前述したように、検査状況情報は、眼科装置により生成されることには限定されず、監視端末５０や管理サーバ４０により生成されてもよい。本実施形態では、眼科装置（スリットランプ２１ａ）が検査状況情報を生成する場合を例に挙げる。
【０１１３】
ステップＳ４４に続くステップＳ４５において、監視端末５０は、患者Ｘに割り当てられた識別情報（被検者ＩＤ）と、被検者用タブレット１００の現在位置を示す位置データと、を監視端末通信部５０２を介して検者用タブレット２００ａ等に送信する。そして、ステップＳ４６において、検者用タブレット２００ａ等は、監視端末５０からタブレット側通信装置１０４を介して、患者Ｘに割り当てられた識別情報（被検者ＩＤ）と、被検者用タブレット１００の現在位置を示す位置データと、を受信し、タブレット側ディスプレイ１０１に表示させる。
【０１１４】
続いて、ステップＳ４９において、検者用タブレット２００ａ等は、スリットランプ２１ａに対して検査状況情報の要求データを送信する。例えば、検者がタブレット側ディスプレイ１０１により患者Ｘを確認し、タブレット側各種情報入力部１０５により患者Ｘを選択すると、検査状況情報の要求データが検者用タブレット２００ａ等からスリットランプ２１ａに送信される。なお、タブレット側ディスプレイ１０１は、タブレット側各種情報入力部１０５と一体化されたタッチパネル等のデバイスや、グラフィカルユーザインターフェイス（ＧＵＩ）であってもよい。
【０１１５】
続いて、ステップＳ４８において、スリットランプ２１ａは、検者用タブレット２００ａ等から眼科装置通信部３４を介して検査状況情報の要求データを受信すると、検査状況情報生成部３５により生成された検査状況情報を眼科装置通信部３４を介して検者用タブレット２００ａ等に送信する。そして、ステップＳ４９において、検者用タブレット２００ａ等は、スリットランプ２１ａからタブレット側通信装置１０４を介して検査状況情報を受信し、タブレット側ディスプレイ１０１に表示させる。
【０１１６】
続いて、図１０に表したステップＳ５０は、図８に関して前述したステップＳ１８の動作と同様である。続いて、ステップＳ５１において、監視端末５０は、監視端末記憶部５１１に記録された検査情報のうちで前回記録された検査情報と、今回記録された検査情報と、の間の比較関係を示す比較情報を監視端末通信部５０２を介して検者用タブレット２００ａ等に送信する。そして、ステップＳ５２において、検者用タブレット２００ａ等は、監視端末５０からタブレット側通信装置１０４を介して比較情報を受信し、タブレット側ディスプレイ１０１に表示させる。
【０１１７】
なお、図８に関して前述したように、比較情報は、監視端末５０により生成されることには限定されず、管理サーバ４０により生成されてもよい。すなわち、管理サーバ４０は、スリットランプ２１ａ等の眼科装置と被検者用タブレット１００との間でやり取りされた検査情報を受信し、比較情報を生成してもよい。本実施形態では、監視端末５０が比較情報を生成する場合を例に挙げる。
【０１１８】
本実施形態の第３動作例によれば、検者は、検者用タブレット２００ａ等のタブレット
側ディスプレイ１０１を確認することにより、被検者の位置や被検者用タブレット１００の位置を把握することができる。そのため、検者は、被検者に対して指示を出したり、検者用タブレット２００ａ等を操作することにより被検者用タブレット１００に対して指示や情報などを送信したりすることができる。これにより、眼科診療の効率化を図ることができる。
【０１１９】
また、監視端末５０は、検査状況情報を検者用タブレット２００ａ等に送信し、タブレット側ディスプレイ１０１に表示させる。検査状況情報は被検者（被検眼）の検査の状況を表しているため、検者は、タブレット側ディスプレイ１０１を確認することにより、被検者（被検眼）の検査の状況を把握することができる。
【０１２０】
また、監視端末５０は、前回記録された検査情報と、今回記録された検査情報と、の間の比較関係を示す比較情報を検者用タブレット２００ａ等に送信し、タブレット側ディスプレイ１０１に表示させる。これにより、検者は、タブレット側ディスプレイ１０１を確認することにより、検査情報、検査状況および眼科装置等の少なくともいずれかに異常が生じているか否かを把握することができる。
【０１２１】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
本実施の形態では、眼科病院の検査室等を例に説明したが、本発明は、これに限らず、他の施設、例えば、さまざまな手続きを行う窓口の会計、入院事務、院内調剤等にも適用される。
【符号の説明】
【０１２２】
１・・・眼科検査システム、  ２・・・通信回線、  １０・・・レフラクトメータ、ケラトメータ、  １１・・・眼圧計、  １２・・・スペキュラーマイクロスコープ、  １３・・・視力検査装置、  １４・・・フォロプター、  １５・・・検眼システム、  １６・・・眼底カメラ、  １７・・・ＯＣＴ装置、  １８・・・視機能検査装置、  １９・・・マイクロペリメータ、  ２０・・・視野計、  ２１ａ〜２１ｄ・・・スリットランプ、  ３１・・・眼科装置制御部、  ３２・・・検査部、  ３３・・・ユーザインターフェイス部、  ３４・・・眼科装置通信部、  ３５・・・検査状況情報生成部、  ３６・・・時刻データ生成部、  ４０・・・管理サーバ、  ４１・・・サーバ制御部、  ４２・・・サーバ側通信装置、  ４３・・・サーバ側ディスプレイ、  ４４・・・サーバ側各種情報入力部、  ４５・・・患者Ｘ情報記憶部、  ４７・・・病院配置図情報記憶部、  ５０・・・監視端末、  １００・・・被検者用タブレット、  １０１・・・タブレット側ディスプレイ、  １０２・・・位置情報取得装置、  １０３・・・タブレット制御部、  １０４・・・タブレット側通信装置、  １０５・・・タブレット側各種情報入力部、  １０６・・・タブレット側各種情報記憶部、  ２００ａ〜２００ｆ・・・検者用タブレット、  ３００ａ〜３００ｉ・・・待合端末、  ３０１・・・待合端末制御部、  ３０２・・・待合端末通信部、  ３０３・・・待合端末ディスプレイ、  ３０４・・・待合端末入力部、  ３０５・・・患者Ｘ情報送受信部、  ３０６・・・位置情報送受信部、  ３０７・・・待合端末記憶部、  ３０８・・・時刻データ生成部、  ５０１・・・監視端末制御部、  ５０２・・・監視端末通信部、  ５０３・・・監視端末ディスプレイ、  ５０４・・・監視端末入力部、  ５０５・・・患者Ｘ情報送受信部、  ５０６・・・位置情報送受信部、  ５０７・・・検査状況情報送受信部、  ５０８・・・検査情報送受信部、  ５０９・・・時刻送受信部、  ５１０・・・誘導情報生成部、  ５１１・・・監視端末記憶部、  ５１２・・・出力制御部、  ５１３・・・待ち時間算出部、  Ｅ・・・被検眼、  Ｘ・・・患者
【図１】
2019063116.tif 000003
【図２】
2019063116.tif 000004
【図３】
2019063116.tif 000005
【図４】
2019063116.tif 000006
【図５】
2019063116.tif 000007
【図６】
2019063116.tif 000008
【図７】
2019063116.tif 000009
【図８】
2019063116.tif 000010
【図９】
2019063116.tif 000011
【図１０】
2019063116.tif 000012